(57)【要約】【課題】  低消費電力機器は無論のこと高消費電力機器であっても、交流電源に起因するノイズの影響を受けることなく標準電波を受信できる電子機器を提供する。【解決手段】  この電子機器は、受信装置１と本体装置２とを一体的に有してなる。第２非接触送受信部２１は、受信装置１側の第１非接触送受信部１５と所定の間隔をおいて対峙して配置され、光又は磁気を用いて受信装置１側の第１非接触送受信部１５との間で無線通信を行う。つまり、この電子機器においては、受信装置１と交流電源を得て電子装置２５を動作させる本体装置２とが、第１、第２両非接触送受信部１５、２１間の間隙で分離され、タイムコードを非接触により受信装置１側から本体装置２側に送信する。したがって、電子装置２５の動作中にタイムコードを含む標準電波を受信しても、交流電源３０に起因するノイズによって、標準電波の受信に支障を来すことがない。【選択図】    図１
2005181264.tif 000002
【特許請求の範囲】
【請求項１】
受信装置と本体装置とからなり、
前記受信装置は、
時刻コードを含む電波を受信して、時刻コードを得る受信手段と、
この受信手段で得られた時刻コードを非接触で前記本体装置に送信する非接触送信手段と、
前記受信手段及び非接触送信手段に電源を供給する電池と
を備え、
前記本体装置は、
現在時刻情報を計時する時計手段と、
前記非接触送信手段から送信された時刻コードを非接触で受信する非接触受信手段と、
この非接触受信手段で受信した時刻コードに基づいて前記時計手段の時刻情報を修正する修正手段と、
所定の動作を行う電子装置と、
交流電源に接続され前記時計手段、非接触受信手段、修正手段及び電子装置に電源を供給する電源回路と
を備えてなることを特徴とする電子機器。
【請求項２】
受信装置と本体装置とからなり、
前記受信装置は、
時刻コードを含む電波を受信して、時刻コードを得る受信手段と、
この受信手段で得られた時刻コードを非接触で前記本体装置に送信するとともに、前記本体装置から送信される信号を非接触で受信する第１の非接触送受信手段と、
前記受信手段及び第１の非接触送受信手段に電源を供給する電池と
を備え、
前記本体装置は、
現在時刻情報を計時する時計手段と、
前記非接触送信手段から送信された時刻コードを非接触で受信するとともに、前記受信装置に所定の信号を非接触で送信する第２の非接触送受信手段と、
この第２の非接触送受信手段で受信した時刻コードに基づいて前記時計手段の時刻情報を修正する修正手段と、
所定の動作を行う電子装置と、
交流電源に接続され前記時計手段、第２の非接触送受信手段、修正手段及び電子装置に電源を供給する電源回路と
を備えてなることを特徴とする電子機器。
【請求項３】
前記所定の信号とは、前記受信手段の受信を開始及び停止させる指示信号であり、
前記装置本体は、前記第２の非接触送受信手段を介して前記指示信号を送信させる制御手段をさらに備え、
前記受信装置の第１の接触送受信手段は、前記指示信号を受信し、
前記受信手段は、前記指示信号に応じて受信動作することを特徴とする請求項２記載の電子機器。
【請求項４】
前記受信装置が備える電池は、非接触で充電される非接触被充電手段であり、
前記本体装置は、前記交流電源から電源を供給されて、前記非接触被充電手段に非接触で充電する非接触充電手段を有することを特徴とする請求項１又は２記載の電子機器。
【請求項５】
前記受信装置が備える電池は、非接触で充電される非接触被充電手段であり、
前記本体装置は、
前記交流電源から電源を供給されて、前記非接触被充電手段に非接触で充電する非接触充電手段と、
この前記非接触充電手段が充電動作中であるか否かを判断する判断手段をさらに備え、
前記制御手段は、この判断手段により前記非接触充電手段が充電動作中であると判断された場合、前記受信手段の受信を開始させる指示信号の送信を回避することを特徴とする請求項３記載の電子機器。
【請求項６】
前記受信装置と前記本体装置とは、一体的に設けられていることを特徴とする請求項１から５にいずれか記載の電子機器。
【請求項７】
前記受信装置の各手段を構成する回路は当該受信装置側において接地され、前記本体装置の各手段を構成する回路は当該本体装置側において接地されていることを特徴とする請求項６記載の電子機器。
【発明の詳細な説明】
【技術分野】
【０００１】
本発明は、時刻コードを含む電波を受信して自機が計時している現在時刻を修正する機能を備えた各種電子機器に関する。
【背景技術】
【０００２】
今日においては、各国（例えば、ドイツ、イギリス、スイス、日本等）において、タイムコードを含む標準電波が送出されている。我が国（日本）では、２つの送信所（福島県及び佐賀県）より、所定のフォーマットのタイムコードで振幅変調した４０ｋＨｚ及び６０ｋＨｚの標準電波が送出されている。このようなタイムコードを含む標準電波を受信して、これにより現在時刻データを修正する、いわゆる電波時計が実用化されている。電波時計は、所定時間毎に、内蔵しているアンテナを介して標準電波を受信し、増幅変調してタイムコードを解読することにより現在時刻を修正している。
【０００３】
一方、このような電波時計を内蔵したＡＣ電源で動作する各種電子機器も提案されるに至っている。しかし、標準電波は微弱であることから、ＡＣ電源に起因するノイズによって、標準電波の受信に支障を来す場合がある。そこで、特許文献１記載の発明においては、標準電波受信時にはＡＣ電源を遮断し、その間電池で駆動することにより、ＡＣ電源からのノイズに起因する標準電波の受信障害を未然に排除して、ノイズの影響を受けることなく標準電波の受信を可能にしている。
【特許文献１】特開２００３−２２７８８８号公報
【発明の開示】
【発明が解決しようとする課題】
【０００４】
しかしながら、電波時計を内蔵した電子機器が動作時の消費電力が大きい装置である場合、ＡＣ電源を遮断している間の動作を電池によってはバックアップできない場合が生ずる。よって、前述の従来技術を採用してノイズの影響を受けることなく標準電波の受信できるＡＣ電源機器は、ＡＣ電源を遮断している間の動作を電池によってバックアップ容易な低消費電力機器に限られ、電池によってはバックアップ困難な高消費電力機器までも、ノイズの影響を受けることなく標準電波の受信を可能にし得るものではなかった。
【０００５】
本発明は、かかる従来の課題に鑑みてなされたものであり、低消費電力機器は無論のこと高消費電力機器であっても、交流電源に起因するノイズの影響を受けることなく標準電波を受信することのできる電子機器を提供することを目的とする。
【課題を解決するための手段】
【０００６】
前記課題を解決するため請求項１記載の発明に係る電子機器にあっては、受信装置と本体装置とからなり、前記受信装置は、時刻コードを含む電波を受信して、時刻コードを得る受信手段と、この受信手段で得られた時刻コードを非接触で前記本体装置に送信する非接触送信手段と、前記受信手段及び非接触送信手段に電源を供給する電池とを備え、前記本体装置は、現在時刻情報を計時する時計手段と、前記非接触送信手段から送信された時刻コードを非接触で受信する非接触受信手段と、この非接触受信手段で受信した時刻コードに基づいて前記時計手段の時刻情報を修正する修正手段と、所定の動作を行う電子装置と、交流電源に接続され前記時計手段、非接触受信手段、修正手段及び電子装置に電源を供給する電源回路とを備えてなる。
【０００７】
つまり、この電子機器においては、時刻コードを非接触により受信装置側から本体装置側に送信することから、時刻コードを含む電波を受信する受信装置と、現在時刻を計時するとともに時刻コードに基づき現在時刻を修正し、交流電源を得て電子装置を動作させる本体装置とを分離独立したものとすることができる。したがって、電子装置の動作中に時刻コードを含む時刻コードを含む電波を受信しても、交流電源に起因するノイズによって、時刻コードを含む電波の受信に支障を来したり、時刻コードに誤データが生じたりすることがない。
【０００８】
また、請求項２記載の発明に係る電子機器にあっては、受信装置と本体装置とからなり、前記受信装置は、時刻コードを含む電波を受信して、時刻コードを得る受信手段と、この受信手段で得られた時刻コードを非接触で前記本体装置に送信するとともに、前記本体装置から送信される信号を非接触で受信する第１の非接触送受信手段と、前記受信手段及び第１の非接触送受信手段に電源を供給する電池とを備え、前記本体装置は、現在時刻情報を計時する時計手段と、前記非接触送信手段から送信された時刻コードを非接触で受信するとともに、前記受信装置に所定の信号を非接触で送信する第２の非接触送受信手段と、この第２の非接触送受信手段で受信した時刻コードに基づいて前記時計手段の時刻情報を修正する修正手段と、所定の動作を行う電子装置と、交流電源に接続され前記時計手段、第２の非接触送受信手段、修正手段及び電子装置に電源を供給する電源回路とを備えてなる。
【０００９】
したがって、請求項１記載の発明と同様に、時刻コードを含む電波を受信する受信装置と、現在時刻を計時するとともに時刻コードに基づき現在時刻を修正し、交流電源を得て電子装置を動作させる本体装置とが分離独立する。したがって、電子装置の動作中に時刻コードを含む時刻コードを含む電波を受信しても、交流電源に起因するノイズによって、時刻コードを含む電波の受信に支障を来したり、時刻コードに誤データが生じたりすることがない。しかも、本体装置側から受信装置側に信号を非接触で送信することも可能であることから、受信装置と本体装置との分離独立性を維持しつつ相互通信も可能となる。
【００１０】
また、請求項３記載の発明に係る電子機器にあっては、前記所定の信号とは、前記受信手段の受信を開始及び停止させる指示信号であり、前記装置本体は、前記第２の非接触送受信手段を介して前記指示信号を送信させる制御手段をさらに備え、前記受信装置の第１の接触送受信手段は、前記指示信号を受信し、前記受信手段は、前記指示信号に応じて受信動作する。したがって、受信装置に設けられた受信手段の動作を本体装置側から制御することができ、これにより本体装置の受信手段に電源を供給する電池の浪費を防止することができる。
【００１１】
また、請求項４記載の発明に係る電子機器にあっては、前記受信装置が備える電池は、非接触で充電される非接触被充電手段であり、前記本体装置は、前記交流電源から電源を供給されて、前記非接触被充電手段に非接触で充電する非接触充電手段を有する。したがって、受信装置と本体装置との分離独立性を維持しつつ、本体装置側から受信装置側への充電が可能となる。
【００１２】
また、請求項５記載の発明に係る電子機器にあっては、前記受信装置が備える電池は、非接触で充電される非接触被充電手段であり、前記本体装置は、前記交流電源から電源を供給されて、前記非接触被充電手段に非接触で充電する非接触充電手段と、この前記非接触充電手段が充電動作中であるか否かを判断する判断手段をさらに備え、前記制御手段は、この判断手段により前記非接触充電手段が充電動作中であると判断された場合、前記受信手段の受信を開始させる指示信号の送信を回避する。したがって、非接触充電手段による非接触被充電手段に対する充電時に生ずるノイズによって、時刻コードを含む電波の受信に支障を来す事態の発生が未然に防止される。
【００１３】
また、請求項６記載の発明に係る電子機器にあっては、前記受信装置と前記本体装置とは、一体的に設けられている。したがって、一体に設けられていることによる利便性を得つつ、交流電源に起因するノイズによって、時刻コードを含む電波の受信に支障を来すことがない。
【００１４】
また、請求項７記載の発明に係る電子機器にあっては、前記受信装置の各手段を構成する回路は当該受信装置側において接地され、前記本体装置の各手段を構成する回路は当該本体装置側において接地されている。したがって、受信装置と本体装置とが一体に設けられていることによる利便性を得つつ、両装置をより確実に分離独立したものにすることができる。
【発明の効果】
【００１５】
本発明にかかる電子機器によれば、時刻コードを非接触により受信装置側から本体装置側に送信ることから、時刻コードを含む電波を受信する受信装置と、現在時刻を計時するとともに時刻コードに基づき現在時刻を修正し、交流電源を得て電子装置を動作させる本体装置とを分離独立したものとすることができる。したがって、電子装置の動作中に時刻コードを含む時刻コードを含む電波を受信しても、交流電源に起因するノイズによって、時刻コードを含む電波の受信に支障を来したり、時刻コードに誤データが生じたりすることがない。よって、受信装置が時刻コードを含む時刻コードを含む電波を受信する際に、交流電源を遮断する必要はなく、交流電源を遮断している間の電子装置の動作を電池によってバックアップする必要もない。その結果、本体装置が有する電子装置が電池によってはバックアップ不可能な高消費電力機器であっても、その機能を継続しつつ、交流電源によるノイズの影響を受けることなく時刻コードを含む時刻コードを含む電波して、時刻コードに基づく正確な時刻修正が可能となる。
【発明を実施するための最良の形態】
【００１６】
以下、本発明の一実施の形態を図に従って説明する。
（第１の実施の形態）
図１は、本発明の第１の実施の形態に係る電子機器の回路構成を示すブロック図である。図に示すように、この電子機器は、受信装置１と本体装置２とを一体的に有してなる。受信装置１側には、アンテナ１１、受信ＩＣ１２、電圧検出器１３、電池１４、及び第１非接触送受信部１５が設けられている。アンテナ１１は、タイムコードを含む標準電波を受信する。受信ＩＣ１２は、アンテナ１１で受信された標準電波からタイムコードＴＣを取り出して第１非接触送受信部１５に送出する。電圧検出器１３は、電池１４の電圧を常時検出し、電圧が所定レベル以上である間は電圧正常信号ＤＳを第１非接触送受信部１５に送出する。電池１４は交換可能であって、受信装置１側各部に必要な電力を供給する。第１非接触送受信部１５は、光又は磁気を用いて本体装置２側と無線通信する機能を有し、前記タイムコードＴＣ及び電圧正常信号ＤＳが入力されるともに、受信ＩＣ１２に受信開始信号ＪＫと、受信停止信号ＪＴとを送出する。
【００１７】
一方、本体装置２側には、第２非接触送受信部２１、デコーダ２２、制御回路２３、時計回路２４、電子装置２５、及び電源回路２６が設けられている。第２非接触送受信部２１は、受信装置１側の第１非接触送受信部１５と所定の間隔をおいて対峙して配置され、光又は磁気を用いて受信装置１側の第１非接触送受信部１５との間で無線通信を行う。デコーダ２２は、第２非接触送受信部２１が受信したタイムコードをデコードして時刻データを生成し、制御回路２３に送出する。制御回路２３は、主としてＣＰＵ及びその周辺回路と、後述するフローチャートに示すプログラムや電子装置２５が機能するに必要なプログラム等が格納されているＲＯＭ、ＣＰＵの作業用メモリであるＲＡＭ等から構成されるマイクロコンピュータであり、本体装置２側の各部を制御する。
【００１８】
時計回路２４は、所定周波数のクロック信号に基づき現在時刻情報を生成して記憶・更新するとともに、この時刻情報を制御回路２３に供給する。電子装置２５は、当該電子装置の機能部を構成するものであり、例えばこの電子装置が印字装置であれば、印字機能部で構成される。電源回路２６は、交流電源３０に接続され、この交流電源３０から供給される交流を直流に変換して、本体装置２側各部に供給する。
【００１９】
なお、電子装置２５は、受信装置１側の電圧低下を報知するための報知部を有している。また、前述のように、受信装置１側の第１非接触送受信部１５と本体装置２側の第２非接触送受信部２１との間には間隔が設けられ、かつ図示のように、受信装置１側の回路は受信装置１において接地（ＧＮＤ）され、本体装置２側の回路は本体装置２側において接地（ＧＮＤ）されることにより、各装置１、２は相互に絶縁されている。
【００２０】
以上の構成に係る本実施の形態において、本体装置２の制御回路２３は、前記プログラムに基づき図２のフローチャートに示す制御を実行する。すなわち、時計回路２４が計数している現在時刻に基づき、時刻修正を行う所定時刻である午前３時となったか否かを判断する（ステップＳ１０１）。午前３時となっていない場合には、電圧正常信号ＤＳの入力が有るか否か、つまり電圧検出器１３で検出され第１非接触送受信部１５から送信されて第２非接触送受信部２１で受信される電圧正常信号ＤＳが、第２非接触送受信部２１から入力されているか否かを判断する（ステップＳ１０２）。
【００２１】
受信装置１の電池１４の電圧が正常であって、電圧正常信号ＤＣの入力が有る場合には、ステップＳ１０３の処理を行うことなく、電子装置制御処理（ステップＳ１１２）を実行する。そして、この電子装置制御処理で、電子装置２５が所定の機能を発生するために必要な各種処理を行う。しかし、受信装置１の電池１４の電圧が所定未満に低下しており、電圧検出器１３から電圧正常信号ＤＳが出力されず、よって第２非接触送受信部２１からの電圧正常信号ＤＳの入力が無い場合には、前記報知部を動作させて所定の報知音を発生させることにより、電圧低下報知を行う（ステップＳ１０３）。したがって、電圧低下報知によりユーザに電池１４の交換を促すことができる。
【００２２】
他方、午前３時となった場合にも（ステップＳ１０１；ＹＥＳ）、前述同様に、電圧正常信号ＤＳの入力が有るか否かを判断し（ステップＳ１０４）、入力が無い場合には、電圧低下報知を行う（ステップＳ１０３）。しかし、電圧正常信号ＤＳの入力が有り、電池１４の電圧の電圧が正常であるならば（ステップＳ１０４；ＹＥＳ）、第２非接触送受信部２１を介して、受信装置１に対し受信開始信号ＪＫを送信させる（ステップＳ１０５）。
【００２３】
すると、受信装置１側の第１非接触送受信部１５がこれを受信し、受信開始信号ＪＫを受信ＩＣ１２に入力する。受信ＩＣ１２は、受信開始信号ＪＫの入力に応答して動作を開始し、アンテナ１１により受信された標準電波を取り込む。さらに、受信ＩＣ１２は、取り込んだ標準電波からタイムコードＴＣを取り出して第１非接触送受信部１５に送出し、第１非接触送受信部１５は第２非接触送受信部２１に対しタイムコードＴＣを無線送信する。第２非接触送受信部２１は、この受信したタイムコードＴＣをデコーダ２２に送出し、デコーダ２２はタイムコードＴＣを時刻データにデコードして、制御回路２３に送出する。
【００２４】
制御回路２３は、デコーダ２２から適正に時刻データが入力されてきたか否かにより、タイムコードの受信が完了したか否かを判断する（ステップＳ１０６）。タイムコードの受信が完了していない場合には、一定時間が経過したか否かを判断し（ステップＳ１０７）、一定時間が経過するか又はタイムコードの受信に成功するまで、ステップＳ１０６→Ｓ１０７→Ｓ１０６のループを繰り返す。そして、タイムコードの受信に成功することなく（ステップＳ１０６；ＮＯ）、一定時間が経過した場合（ステップＳ１０７；ＹＥＳ）には、つまり受信不能である場合には、第２非接触送受信部２１を介して受信停止信号ＪＴを送信する（ステップＳ１０８）。すると、受信装置１側の第１非接触送受信部１５がこれを受信し、受信停止信号ＪＴを受信ＩＣ１２に入力する。受信ＩＣ１２は、受信停止信号ＪＴの入力に応答して動作を停止する。したがって、受信不能である場合において、無用に受信ＩＣが動作して電池１４の電力が浪費されることはない。
【００２５】
また、ステップＳ１０６での判断の結果、タイムコードの受信が成功した場合にも、第２非接触送受信部２１を介して受信停止信号ＪＴを送信する（ステップＳ１０９）。すると、前述と同様に受信装置１側の第１非接触送受信部１５がこれを受信し、受信停止信号ＪＴを受信ＩＣ１２に入力する。受信ＩＣ１２は、受信停止信号ＪＴの入力に応答して、動作を停止する。したがって、タイムコードの受信が成功した後において、無用に受信ＩＣが動作して電池１４の電力が浪費されることもない。
【００２６】
次に制御回路２３は、デコーダ２２から入力された時刻データに基づき、受信装置１が受信して送信されたタイムコードがノイズの影響を受けた誤データではなく、正確なタイムコードであるか否かを判断する（ステップＳ１１０）。そして、誤データであって不正確なタイムコードである場合には、ステップＳ１１１の処理を行うことなく、前記ステップＳ１１２に進む。また、誤データではなく正確なタイムコードである場合には、デコーダ２２から入力された時刻データに従って、時計回路２４が計時して記憶している現在時刻を修正してこれを更新する（ステップＳ１１１）。しかる後に、前述した電子装置制御処理を実行する（ステップＳ１１２）。
【００２７】
つまり、この電子機器においては、タイムコードを含む電波を受信する受信装置１と交流電源を得て電子装置２５を動作させる本体装置２とが、第１、第２両非接触送受信部１５、２１間の間隙で分離され、タイムコードを非接触により受信装置１側から本体装置２側に送信する。しかも、受信装置１側の回路は受信装置１において接地（ＧＮＤ）され、本体装置２側の回路は本体装置２側において接地（ＧＮＤ）されることにより、各装置１、２は相互に絶縁されている。したがって、電子装置２５の動作中にタイムコードを含む標準電波を受信しても、交流電源３０に起因するノイズによって、標準電波の受信に支障を来したり、タイムコードに誤データが生じたりすることはない。よって、受信装置１がタイムコードを含む標準電波を受信する際に、交流電源３０を遮断する必要はなく、交流電源３０を遮断している間の電子装置２５の動作を電池によってバックアップする必要もない。その結果、電子装置２５が電池によってはバックアップ不可能な高消費電力機器であってもその機能を継続しつつ、交流電源３０によるノイズの影響を受けることなくタイムコードを含む標準電波して、タイムコードに基づく正確な時刻修正が可能となる。
【００２８】
（第２の実施の形態）
図１は、本発明の第２の実施の形態に係る電子機器の回路構成を示すブロック図である。このブロック図において、受信装置１側の電圧検出器１３を除くアンテナ１１から第１非接触送受信部１５までの構成、及び本体装置２側の第２非接触送受信部２１から電源回路２６までの構成及び交流電源３０は、図１に示した第１の実施の形態と同様であるので同一部分に同一符号を付して説明を省略する。
【００２９】
そして、この第２の実施の形態においては、受信装置１側に非接触被充電回路１６が設けられ、本体装置２側に非接触充電回路２７が設けられている点において、第１の実施の形態とは異なる。非接触被充電回路１６と非接触充電回路２７とは、所定の間隔をおいて対峙して配置され、非接触充電回路２７は電磁誘導、光、光電素子により非接触被充電回路１６に対し充電を行うものである。
【００３０】
したがって、本実施の形態においては、
（１）受信装置１側の第１非接触送受信部１５と本体装置２側の第２非接触送受信部２１との間には間隔が設けられ、
（２）受信装置１側の非接触被充電回路１６と本体装置２側の非接触充電回路２７との間には間隔が設けられ、
（３）受信装置１側の回路は受信装置１において接地（ＧＮＤ）され、かつ本体装置２側の回路は本体装置２側において接地（ＧＮＤ）されることにより、
各装置１、２は相互に絶縁されている。
【００３１】
なお、本実施の形態において電圧検出器１３は、非接触被充電回路１６の電圧を常時検出し、電圧が所定レベル以上である間は電圧正常信号ＤＳを第１非接触送受信部１５に送出する。
【００３２】
以上の構成に係る本実施の形態において、本体装置２の制御回路２３は、前記プログラムに基づき図４のフローチャートに示す制御を実行する。すなわち、時計回路２４が計数している現在時刻に基づき、時刻修正を行う所定時刻である午前３時となったか否かを判断する（ステップＳ２０１）。午前３時となっていない場合には、非接触充電回路２７が非接触被充電回路１６に対し充電中であるか否かを判断する（ステップＳ２０２）。充電中でないならば、電圧正常信号ＤＳの入力が有るか否か、つまり電圧検出器１３で検出され第１非接触送受信部１５から送信されて第２非接触送受信部２１で受信される電圧正常信号ＤＳが、第２非接触送受信部２１から入力されているか否かを判断する（ステップＳ２０３）。
【００３３】
このとき、受信装置１の非接触被充電回路１６の電圧が正常であって、電圧正常信号ＤＣの入力が有る場合には、ステップＳ２０４の処理を行うことなく、電子装置制御処理（ステップＳ２１６）を実行する。そして、この電子装置制御処理で、電子装置２５が所定の機能を発生するために必要な各種処理を行う。しかし、受信装置１の非接触被充電回路１６の電圧が所定未満に低下しており、電圧検出器１３から電圧正常信号ＤＳが出力されず、よって第２非接触送受信部２１からの電圧正常信号ＤＳの入力が無い場合には、充電開始信号ＤＫを非接触充電回路２７に出力する（ステップＳ２０４）。すると、非接触充電回路２７はこれに応答して、非接触被充電回路１６に対し充電を開始する。
【００３４】
また、ステップＳ２０２で充電中であると判断されると、前述と同様に電圧正常信号ＤＳの入力が有るか否かを判断し（ステップＳ２０５）、無い場合にはステップＳ２０６の処理（充電停止信号出力）を行うことなく、ステップＳ１６に進む。したがってこの間、非接触充電回路２７による非接触被充電回路１６に対する充電が継続される。そして、充電に伴って非接触被充電回路１６の電圧が所定以上になると電圧検出器１３から電圧正常信号ＤＳが出力される。よって、ステップＳ２０５の判断はＹＥＳとなり、制御回路２３は充電停止信号ＤＴを非接触充電回路２７に出力し（ステップＳ２０６）、これに応答して非接触充電回路２７は充電を停止する。
【００３５】
他方、午前３時となった場合にも（ステップＳ２０１；ＹＥＳ）、充電中であるか否かを判断する（ステップＳ２０７）。そして、充電中である場合には、現時点が午前３時であって本来ならば時刻修正を行う所定時刻であるにもかかわらず、後述する受信開始信号出力（ステップＳ２０９）等を行うことなくこれを回避し、前記ステップＳ２１６に進む。これにより、非接触充電回路２７による非接触被充電回路１６に対する充電時に生ずるノイズによって、標準電波の受信に支障を来す事態の発生が未然に防止される。
【００３６】
また、充電中でないならば、前述同様に、電圧正常信号ＤＳの入力が有るか否かを判断し（ステップＳ２０６）、入力が無い場合には、前記ステップＳ２１６に進む。しかし、電圧正常信号ＤＳの入力が有り、非接触被充電回路１６の電圧の電圧が正常であるならば（ステップＳ２０８；ＹＥＳ）、第２非接触送受信部２１を介して、受信装置１に対し受信開始信号ＪＫを送信させる（ステップＳ２１０）。
【００３７】
すると、受信装置１側の第１非接触送受信部１５がこれを受信し、受信開始信号ＪＫを受信ＩＣ１２に入力する。受信ＩＣ１２は、受信開始信号ＪＫの入力に応答して動作を開始し、アンテナ１１により受信された標準電波を取り込む。さらに、受信ＩＣ１２は、取り込んだ標準電波からタイムコードＴＣを取り出して第１非接触送受信部１５に送出し、第１非接触送受信部１５は第２非接触送受信部２１に対しタイムコードＴＣを無線送信する。第２非接触送受信部２１は、この受信したタイムコードＴＣをデコーダ２２に送出し、デコーダ２２はタイムコードＴＣを時刻データにデコードして、制御回路２３に送出する。
【００３８】
そこで、制御回路２３はデコーダ２２から適正に時刻データが入力されてきたか否かにより、タイムコードの受信が完了したか否かを判断する（ステップＳ２１０）。タイムコードの受信が完了していない場合には、一定時間が経過したか否かを判断し（ステップＳ２１１）、一定時間が経過するか又はタイムコードの受信に成功するまで、ステップＳ２１０→Ｓ２１１→Ｓ２１０のループを繰り返す。そして、タイムコードの受信に成功することなく（ステップＳ２１０；ＮＯ）、一定時間が経過した場合（ステップＳ２１１；ＹＥＳ）には、第２非接触送受信部２１を介して受信停止信号ＪＴを送信する（ステップＳ２０８）。すると、受信装置１側の第１非接触送受信部１５がこれを受信し、受信停止信号ＪＴを受信ＩＣ１２に入力する。受信ＩＣ１２は、受信停止信号ＪＴの入力に応答して、動作を停止する。したがって、タイムコードの受信が不可能な状態において、無用に受信ＩＣが動作して電池１４や非接触被充電回路１６の電力が浪費されることはない。
【００３９】
また、ステップＳ２１０での判断の結果、タイムコードの受信が成功した場合にも、第２非接触送受信部２１を介して受信停止信号ＪＴを送信する（ステップＳ２１３）。すると、前述と同様に受信装置１側の第１非接触送受信部１５がこれを受信し、受信停止信号ＪＴを受信ＩＣ１２に入力する。受信ＩＣ１２は、受信停止信号ＪＴの入力に応答して、動作を停止する。したがって、タイムコードの受信が成功した後において、無用に受信ＩＣが動作して電池１４や非接触被充電回路１６の電力が浪費されることもない。
【００４０】
次に制御回路２３は、デコーダ２２から入力された時刻データに基づき、受信装置１が受信して送信されたタイムコードがノイズの影響を受けた誤データではなく、正確なタイムコードであるか否かを判断する（ステップＳ２１４）。そして、誤データであって不正確なタイムコードである場合には、ステップＳ２１５の処理を行うことなく、前記ステップＳ２１６に進む。また、誤データではなく正確なタイムコードである場合には、デコーダ２２から入力された時刻データに従って、時計回路２４が計時して記憶している現在時刻を修正してこれを更新する（ステップＳ２１５）。しかる後に、前述した電子装置制御処理を実行する（ステップＳ２１２）。
【００４１】
つまり、この実施の形態においては、前記（１）（２）（３）により、各装置１、２は相互に絶縁されている。したがって、電子装置２５の動作中にタイムコードを含む標準電波を受信しても、交流電源３０に起因するノイズによって、標準電波の受信に支障を来したり、タイムコードに誤データが生じたりすることはない。よって、受信装置１がタイムコードを含む標準電波を受信する際に、交流電源３０を遮断する必要はなく、交流電源３０を遮断している間の電子装置２５の動作を電池によってバックアップする必要もない。その結果、電子装置２５が電池によってはバックアップ不可能な高消費電力機器であってもその機能を継続しつつ、交流電源３０によるノイズの影響を受けることなくタイムコードを含む標準電波して、タイムコードに基づく正確な時刻修正が可能となる。
【００４２】
さらに、この実施の形態においては、非接触充電回路２７が非接触被充電回路１６に対し充電中である場合には、時刻修正を行う所定時刻であっても、標準電波の受信を禁止する。よって、受信装置１電源として非接触被充電回路を用いても、充電時に生ずるノイズによって、標準電波の受信に支障を来す事態の発生を未然に防止することができる。
【００４３】
なお、本実施の形態においては、受信装置１側の第１非接触送受信部１５と本体装置２側の第２非接触送受信部２１との間、あるいは受信装置１側の非接触被充電回路１６と本体装置２側の非接触充電回路２７との間に、間隔が設けながら、受信装置１と本体装置２とを一体的に設けるようにしたが、受信装置１と本体装置２とを別体に設けるようにしても良い。
この場合、ユーザが当該電子機器を配置する際に、受信装置１側の第１非接触送受信部１５と本体装置２側の第２非接触送受信部２１とが、所定の間隔をおいて対峙するうように配置し、あるいは受信装置１側の非接触被充電回路１６と本体装置２側の非接触充電回路２７とが、所定の間隔をおいて対峙するうように配置すればよい。
【図面の簡単な説明】
【００４４】
【図１】本発明の第１の実施の形態を示すブロック図である。
【図２】同実施の形態における制御回路の処理手順を示すフローチャートである。
【図３】本発明の第２の実施の形態を示すブロック図である。
【図４】同実施の形態における制御回路の処理手順を示すフローチャートである。
【符号の説明】
【００４５】
１    受信装置
２    本体装置
１１    アンテナ
１２    受信ＩＣ
１３    電圧検出器
１４    電池
１５    第１非接触送受信部
１６    非接触被充電回路
２１    第２非接触送受信部
２２    デコーダ
２３    制御回路
２４    時計回路
２５    電子装置
２６    電源回路
２７    非接触充電回路
３０    交流電源
ＤＣ    電圧正常信号
ＤＫ    充電開始信号
ＤＳ    電圧正常信号
ＤＴ    充電停止信号
ＪＫ    受信開始信号
ＪＴ    受信停止信号
ＴＣ    タイムコード
【図１】
2005181264.tif 000003
【図２】
2005181264.tif 000004
【図３】
2005181264.tif 000005
【図４】
2005181264.tif 000006